(57)【要約】【課題】複数の光を用いて脈派を測定する場合において、それらの光が生体内の深さの異なる部位に照射されることによって生じる誤差を減らす。【解決手段】第１の発光部は、生体内の第１の測定部位に緑色光を照射する。第２の発光部は、生体内の第１の測定部位よりも深い第２の測定部位に赤色光を照射する。第１の受光部は、第１の測定部位で反射した緑色光を受光し、受光した緑色光を第１のアナログ信号（Ｇ信号）に変換する。第２の受光部は、第２の測定部位で反射した赤色光を受光し、受光した赤色光を第２のアナログ信号（Ｒ信号）に変換する。除去部４１は、Ｒ信号からＧ信号と相関のない信号成分を除去し、この信号成分が除去されたＲ信号を出力する。【選択図】図５
2013150707.tif 000002
【特許請求の範囲】
【請求項１】
生体内の第１の部位に第１の光を照射する第１の照射部と、
前記生体内の前記第１の部位よりも深い第２の部位に第２の光を照射する第２の照射部と、
前記第１の部位で反射した前記第１の光を受光し、当該受光した第１の光を第１の信号に変換する第１の受光部と、
前記第２の部位で反射した前記第２の光を受光し、当該受光した第２の光を第２の信号に変換する第２の受光部と、
前記第２の信号から前記第１の信号と相関が閾値よりも低い信号成分を除去し、当該信号成分が除去された第２の信号を出力する除去部と
を備えることを特徴とする脈波測定装置。
【請求項２】
前記除去部は、適応フィルターを用いて前記信号成分の除去を行う
ことを特徴とする請求項１に記載の脈波測定装置。
【請求項３】
前記第１の受光部により変換された第１の信号及び前記除去部から出力された第２の信号から、前記生体の脈派を示す脈動成分とノイズ成分とを分離する分離部を備える
ことを特徴とする請求項１又は２に記載の脈波測定装置。
【請求項４】
前記第２の光は、前記第１の光よりも波長が大きい
ことを特徴とする請求項１から３のいずれか１項に記載の脈波測定装置。
【請求項５】
前記第２の照射部と前記第２の受光部の間の距離は、前記第１の照射部と前記第１の受光部との間の距離よりも大きい
ことを特徴とする請求項１から３のいずれか１項に記載の脈波測定装置。
【請求項６】
第１の照射部により生体内の第１の部位に第１の光が照射され、第１の受光部により前記第１の部位で反射した前記第１の光が第１の信号に変換され、第２の照射部により前記生体内の前記第１の部位よりも深い第２の部位に第２の光が照射され、第２の受光部により前記第２の部位で反射した前記第２の光が第２の信号に変換されると、前記第２の信号から前記第１の信号と相関が閾値よりも低い信号成分を除去し、当該信号成分が除去された第２の信号を出力する除去部
を備えることを特徴とする信号処理装置。
【発明の詳細な説明】
【技術分野】
【０００１】
本発明は、生体の脈波を測定する技術に関する。
【背景技術】
【０００２】
光を用いて生体の脈派を測定する技術が知られている。例えば、特許文献１には、パルスフォトメータにおいて、同一の媒体から抽出される２つの測定信号から、脈波信号とアーチフェクト信号とを分離する信号処理方法が記載されている。
【先行技術文献】
【特許文献】
【０００３】
【特許文献１】特開２００９−２６１４５８号公報
【発明の概要】
【発明が解決しようとする課題】
【０００４】
生体に光を照射した場合、波長により光の到達する深さが異なることが知られている。例えば二波長の光を用いて脈派を測定する場合には、波長が異なるため、それらの光の到達する深さに差が生じる。このように光の到達する深さに差があると、それらの光により観測される２つの信号において、一方の信号に他方の信号には含まれない信号成分が重畳されてしまう。この場合、２つの信号の相関が低くなり、例えば特許文献１に記載されたような信号分離に悪影響を与える恐れがある。
本発明は、複数の光を用いて脈派を測定する場合において、それらの光が生体内の深さの異なる部位に照射されることによって生じる誤差を減らすことを目的の１つとする。
【課題を解決するための手段】
【０００５】
本発明に係る脈波想定装置は、生体内の第１の部位に第１の光を照射する第１の照射部と、前記生体内の前記第１の部位よりも深い第２の部位に第２の光を照射する第２の照射部と、前記第１の部位で反射した前記第１の光を受光し、当該受光した第１の光を第１の信号に変換する第１の受光部と、前記第２の部位で反射した前記第２の光を受光し、当該受光した第２の光を第２の信号に変換する第２の受光部と、前記第２の信号から前記第１の信号と相関が閾値よりも低い信号成分を除去し、当該信号成分が除去された第２の信号を出力する除去部とを備えることを特徴とする。この構成によれば、複数の光を用いて脈派を測定する場合において、それらの光が生体内の深さの異なる部位に照射されることによって生じる誤差を減らすことができる。
【０００６】
前記除去部は、適応フィルターを用いて前記信号成分の除去を行ってもよい。この構成によれば、簡易な構成で上述した誤差を減らすことができる。
【０００７】
前記脈波測定装置は、前記第１の受光部により変換された第１の信号及び前記除去部から出力された第２の信号から、前記生体の脈派を示す脈動成分とノイズ成分とを分離する分離部を備えてもよい。この構成によれば、脈動成分とノイズ成分とを分離する精度を向上させることができる。
【０００８】
前記第２の光は、前記第１の光よりも波長が大きくてもよい。この構成によれば、二波長の光を用いて脈波を測定する構成において、それらの光が生体内の深さの異なる部位に照射されることによって生じる誤差を減らすことができる。
【０００９】
前記第２の照射部と前記第２の受光部の間の距離は、前記第１の照射部と前記第１の受光部との間の距離よりも大きくてもよい。この構成によれば、一波長の複数の光を用いて脈派を測定する構成において、それらの光が生体内の深さの異なる部位に照射されることによって生じる誤差を減らすことができる。
【００１０】
本発明に係る信号処理装置は、第１の照射部により生体内の第１の部位に第１の光が照射され、第１の受光部により前記第１の部位で反射した前記第１の光が第１の信号に変換され、第２の照射部により前記生体内の前記第１の部位よりも深い第２の部位に第２の光が照射され、第２の受光部により前記第２の部位で反射した前記第２の光が第２の信号に変換されると、前記第２の信号から前記第１の信号と相関が閾値よりも低い信号成分を除去し、当該信号成分が除去された第２の信号を出力する除去部を備えることを特徴とする。この構成によれば、複数の光を用いて脈派を測定する場合において、それらの光が生体内の深さの異なる部位に照射されることによって生じる誤差を減らすことができる。
【図面の簡単な説明】
【００１１】
【図１】脈波測定装置の外観を示す図
【図２】脈波測定装置の構成を示すブロック図
【図３】生体に対する光の浸透度を示す図
【図４】生体内における緑色光及び赤色光の経路を示す図
【図５】ＣＰＵの機能構成を示すブロック図
【図６】適応フィルターの概念図
【図７】Ｇ信号及びＲ信号の信号観測モデルを示す図
【図８】変形例に係る生体内における緑色光の経路を示す図
【発明を実施するための形態】
【００１２】
図１は、本実施形態に係る脈波測定装置１の外観を示す図である。脈波測定装置１は、人間の手２に装着される。脈波測定装置１は、人間の手首に装着される装置本体３（信号処理装置の一例）と、脈波センサー４とで構成されている。この装置本体３と脈波センサー４とは、ケーブル５を介して接続されている。脈波センサー４は、図１（ｂ）に示すように、人差指の根元の手のひら側にバンド６によって固定される。
【００１３】
図２は、脈波測定装置１の構成を示すブロック図である。脈波測定装置１は、二波長の光を用いて脈波を測定する。装置本体３は、ＣＰＵ（Central Processing Unit）１１と、ＲＯＭ（Read Only Memory）１２と、ＲＡＭ（Random Access Memory）１３と、表示部１４と、操作部１５と、発振回路１６と、計時回路１７と、第１のフィルター部２１ａ及び第２のフィルター部２１ｂと、第１の増幅回路２２ａ及び第２の増幅回路２２ｂと、第１のＡ／Ｄ変換部２３ａ及び第２のＡ／Ｄ変換部２３ｂとを備える。脈波センサー４は、駆動回路１８と、第１の発光部１９ａ（第１の照射部の一例）及び第２の発光部１９ｂ（第２の照射部の一例）と、第１の受光部２０ａ及び第２の受光部２０ｂとを備える。
【００１４】
ＣＰＵ１１は、制御プログラムを実行して脈波測定装置１の各部を制御する。ＲＯＭ１２は、読み出し専用の不揮発性メモリーである。ＲＯＭ１２には、例えばＣＰＵ１１により実行される基本的なシステムプログラムが記憶される。ＲＡＭ１３は、ＣＰＵ１１のワークエリアとして使用される揮発性メモリーである。ＲＡＭ１３には、例えばＣＰＵ１１による制御プログラムの実行中に発生する各種のデータが一時的に記憶される。表示部１４は、例えば液晶ディスプレイである。表示部１４は、ＣＰＵ１１による制御の下、脈波の測定結果や脈波の測定に関する各種の情報を表示する。操作部１５は、例えば脈波測定装置１の操作に用いられる複数の操作ボタンを備える。操作部１５は、利用者の操作に応じた操作信号をＣＰＵ１１に供給する。発振回路１６は、ＣＰＵ１１にクロック信号を供給する。計時回路１７は、ＣＰＵ１１による制御の下、時間を計測する。
【００１５】
駆動回路１８は、第１の発光部１９ａ及び第２の発光部１９ｂを駆動する。例えば、駆動回路１８は、操作部１５を用いて脈波の測定開始を指示する操作が行われると、第１の発光部１９ａと第２の発光部１９ｂとを交互に駆動する。第１の発光部１９ａは、緑色光Ｌｇ（第１の光の一例）を照射する発光素子を備える。この緑色光Ｌｇのピーク波長は、５２５ｎｍである。第２の発光部１９ｂは、赤色光Ｌｒ（第２の光の一例）を照射する発光素子を備える。この赤色光Ｌｒのピーク波長は、６２０ｎｍである。赤色光Ｌｒのピーク波長は、緑色光Ｌｇよりもピーク波長よりも大きい。第１の発光部１９ａ及び第２の発光部１９ｂは、駆動回路１８により駆動されると、生体内の測定部位に光を照射する。
【００１６】
図３は、生体に対する光の浸透度を示す図である。図３に示す縦軸は、光のピーク波長［ｎｍ］を示す。図３に示す横軸は、生体に対する光の浸透度を示す。この浸透度とは、生体内において光が到達する深さをいう。この深さとは、生体の表面からの距離をいう。図３に示すように、波長により生体に対する光の浸透度が異なる。例えば、緑色光Ｌｇのピーク波長は５２５ｎｍであり、赤色光Ｌｒのピーク波長は６２０ｎｍである。この場合、赤色光Ｌｒの浸透度は、緑色光Ｌｇの浸透度よりも大きくなる。
【００１７】
図４は、生体内における緑色光Ｌｇ及び赤色光Ｌｒの経路を示す図である。図４には、生体の皮膚の断面が示されている。生体の皮膚は、表皮３１と、表皮３１の下にある真皮３２と、真皮３２の下にある皮下組織３３とを有する。真皮３２の浅い部分には、毛細血管３４が存在する。真皮３２の深い部分には、細動脈と細静脈とを含む細動静脈３５が存在する。上述したように、赤色光Ｌｒの浸透度は、緑色光Ｌｇの浸透度よりも大きい。したがって、赤色光Ｌｒは緑色光Ｌｇよりも生体内の深い部分を通過する。
【００１８】
具体的には、緑色光Ｌｇは、図４（ａ）に示すように、表皮３１及び真皮３２の浅い部分を通って測定部位Ｔ１（第１の部位の一例）に照射される。一方、赤色光Ｌｒは、図４（ｂ）に示すように、表皮３１及び真皮３２の深い部分を通って、測定部位Ｔ１よりも深い測定部位Ｔ２（第２の部位の一例）に照射される。この場合、緑色光Ｌｇは、真皮３２の浅い部分に存在する毛細血管３４の脈動による影響を受けるのに対し、赤色光Ｌｒは、この毛細血管３４の脈動による影響に加えて、真皮３２の深い部分に存在する細動静脈３５の脈動による影響も受けることとなる。
【００１９】
第１の発光部１９ａ、第２の発光部１９ｂ、第１の受光部２０ａ及び第２の受光部２０ｂは、第１の発光部１９ａと第１の受光部２０ａとの間の距離Ｄ１と、第２の発光部１９ｂと第２の受光部２０ｂとの間の距離Ｄ２とが等しくなるように配置される。第１の発光部１９ａから照射された緑色光Ｌｇは、測定部位Ｔ１で反射され第１の受光部２０ａにより受光される。第１の受光部２０ａは、緑色光Ｌｇを受光すると、受光した緑色光Ｌｇを第１のアナログ信号（第１の信号の一例）に変換して出力する。この第１のアナログ信号には、真皮３２の浅い部分に存在する毛細血管３４の脈動を示す第１の信号成分が含まれる。第２の発光部１９ｂから照射された赤色光Ｌｒは、測定部位Ｔ２で反射され第２の受光部２０ｂにより受光される。第２の受光部２０ｂは、赤色光Ｌｒを受光すると、受光した赤色光Ｌｒを第２のアナログ信号（第２の信号の一例）に変換して出力する。この第２のアナログ信号には、上述した第１の信号成分に加えて、真皮３２の深い部分に存在する細動静脈３５の脈動を示す第２の信号成分が含まれる。
【００２０】
第１の受光部２０ａから出力された第１のアナログ信号は、図２に示す第１のフィルター部２１ａに入力される。第１のフィルター部２１ａは、ＡＣ（Alternating Current）フィルターとＤＣ（Direct Current）フィルター（いずれも図示せず）とを備える。ＡＣフィルターは、第１のアナログ信号が入力されると、入力された第１のアナログ信号から脈動を示す脈動成分（ＡＣ成分）を除去して第１のアナログ信号のＤＣ成分を出力する。ＤＣフィルターは、第１のアナログ信号が入力されると、入力された第１のアナログ信号から脈波の基線のゆらぎ成分（ＤＣ成分）を除去して第１のアナログ信号のＡＣ成分を出力する。
【００２１】
第２の受光部２０ｂから出力された第２のアナログ信号は、第２のフィルター部２１ｂに入力される。第２のフィルター部２１ｂは、第１のフィルター部２１ａと同様に、ＡＣフィルターとＤＣフィルター（図示せず）とを備える。ＡＣフィルターは、第２のアナログ信号が入力されると、入力された第２のアナログ信号から脈動を示す脈動成分（ＡＣ成分）を除去して第２のアナログ信号のＤＣ成分を出力する。ＤＣフィルターは、第２のアナログ信号が入力されると、入力された第２のアナログ信号から脈波の基線のゆらぎ成分（ＤＣ成分）を除去して第２のアナログ信号のＡＣ成分を出力する。
【００２２】
第１のフィルター部２１ａから出力された第１のアナログ信号のＡＣ成分は、第１の増幅回路２２ａに入力される。第１の増幅回路２２ａは、第１のアナログ信号のＡＣ成分が入力されると、入力された第１のアナログ信号のＡＣ成分を増幅して出力する。第２のフィルター部２１ｂから出力された第２のアナログ信号のＡＣ成分は、第２の増幅回路２２ｂに入力される。第２の増幅回路２２ｂは、第２のアナログ信号のＡＣ成分が入力されると、入力された第２のアナログ信号のＡＣ成分を増幅して出力する。第１の増幅回路２２ａ及び第２の増幅回路２２ｂのゲインは、ＣＰＵ１１により設定される。
【００２３】
第１の増幅回路２２ａから出力された第１のアナログ信号のＡＣ成分及び第１のフィルター部２１ａから出力された第１のアナログ信号のＤＣ成分は、第１のＡ／Ｄ（analog to digital）変換部に入力される。第１のＡ／Ｄ変換部２３ａは、第１のＡ／Ｄ変換回路と第２のＡ／Ｄ変換回路（いずれも図示せず）とを備える。第１のＡ／Ｄ変換回路は、第１のアナログ信号のＡＣ成分が入力されると、入力された第１のアナログ信号のＡＣ成分をアナログ信号からデジタル信号に変換して出力する。具体的には、第１のＡ／Ｄ変換回路は、予め設定されたサンプリング周波数で第１のアナログ信号のＡＣ成分をサンプリングして量子化する。このサンプリング周波数は、例えば１００Ｈｚである。量子化は、例えば１０ビットで行われる。第２のＡ／Ｄ変換回路は、第１のアナログ信号のＤＣ成分が入力されると、第１のＡ／Ｄ変換回路と同様に、入力された第１のアナログ信号のＤＣ成分をアナログ信号からデジタル信号に変換して出力する。
【００２４】
第２の増幅回路２２ｂから出力された第２のアナログ信号のＡＣ成分及び第２のフィルター部２１ｂから出力された第２のアナログ信号のＤＣ成分は、第２のＡ／Ｄ変換部２３ｂに入力される。第２のＡ／Ｄ変換部２３ｂは、第３のＡ／Ｄ変換回路と第４のＡ／Ｄ変換回路（図示せず）とを備える。第３のＡ／Ｄ変換回路は、第２のアナログ信号のＡＣ成分が入力されると、第１のＡ／Ｄ変換回路と同様に、入力された第２のアナログ信号のＡＣ成分をアナログ信号からデジタル信号に変換して出力する。第４のＡ／Ｄ変換回路は、第２のアナログ信号のＤＣ成分が入力されると、第１のＡ／Ｄ変換回路と同様に、入力された第２のアナログ信号のＤＣ成分をアナログ信号からデジタル信号に変換して出力する。
【００２５】
第１のＡ／Ｄ変換部２３ａ及び第２のＡ／Ｄ変換部２３ｂのサンプリングにより得られるサンプリングデータは、ＣＰＵ１１に供給され、第１の増幅回路２２ａ及び第２の増幅回路２２ｂのゲインを設定するときの判断材料として用いられる。なお、以下の説明では、第１のＡ／Ｄ変換部２３ａから出力される第１のアナログ信号のＡＣ成分とＤＣ成分をまとめて「Ｇ信号」という。また、第２のＡ／Ｄ変換部２３ｂから出力される第２のアナログ信号のＡＣ成分とＤＣ成分をまとめて「Ｒ信号」という。
【００２６】
図５は、ＣＰＵ１１の機能構成を示すブロック図である。ＣＰＵ１１は、除去部４１と分離部４２とを備える。第１のＡ／Ｄ変換部２３ａから出力されたＧ信号及び第２のＡ／Ｄ変換部２３ｂから出力されたＲ信号は、除去部４１に入力される。除去部４１は、Ｇ信号及びＲ信号が入力されると、適応フィルターを用いて、入力されたＲ信号からＲ信号と相関のない信号成分を除去する。この「相関がない」とは、厳密にはＧ信号との相関が閾値よりも低いことをいう。また、「除去」とは、相関のない信号成分を完全に取り除くことだけではなく、相関のない信号成分を減衰させることをも含む概念である。
【００２７】
図６は、適応フィルターの概念図である。第１のＡ／Ｄ変換部２３ａから出力されたＧ信号は、遅延器５１に入力される。遅延器５１は、Ｇ信号が入力されると、入力されたＧ信号を遅延させて出力する。遅延器５１から出力されたＧ信号は、加算器５２に入力される。また、第２のＡ／Ｄ変換部２３ｂから出力されたＲ信号は、ＦＩＲ（finite impulse response）フィルター５３に入力される。ＦＩＲフィルター５３は、Ｒ信号が入力されると、入力されたＲ信号に対して係数を用いてフィルター処理を施して出力する。ＦＩＲフィルター５３から出力されたＲ信号は、加算器５２に入力される。加算器５２は、Ｇ信号及びＲ信号が入力されると、入力されたＧ信号とＲ信号との差を誤差信号εとして出力する。ＦＩＲフィルター５３の係数は、ＬＭＳ（Least Mean Square）アルゴリズム等のアルゴリズムを利用して、加算器５２から出力された誤差信号εの２乗の期待値がもっとも小さくなるように更新される。
【００２８】
上述したように、Ｒ信号には、Ｇ信号には含まれていない第２の信号成分が含まれている。この場合、ＦＩＲフィルター５３により、Ｒ信号からＧ信号と相関のない第２の信号成分が除去される。これにより、第２の信号成分が除去されたＲ信号がＦＩＲフィルター５３から出力される。このＲ信号は、Ｇ信号と同様に第１の信号成分だけを含むため、Ｇ信号と高い相関を有する。
【００２９】
第１のＡ／Ｄ変換部２３ａから出力されたＧ信号及びＦＩＲフィルター５３から出力されたＲ信号は、分離部４２に入力される。分離部４２は、Ｇ信号及びＲ信号が入力されると、入力されたＧ信号及びＲ信号から、脈波成分と体動ノイズ成分とを分離する。この体動ノイズとは、体が動いたときの振動により生じる誤差をいう。分離部４２により脈波成分と体動ノイズ成分とが分離されると、この脈動成分に基づき脈波が求められる。
【００３０】
図７は、Ｇ信号及びＲ信号の信号観測モデルを示す図である。図７において、ｐは、時刻ｔｎにおける脈動を示す脈動信号であり、ｎは、時刻ｔｎにおけるノイズを示すノイズ信号である。また、Ｇは、第１の受光部２０ａ、つまり緑色光Ｌｇの端子であり、Ｒは、第２の受光部２０ｂ、つまり赤色光Ｌｒの端子である。脈動信号ｐは、伝達係数１でＧ端子に伝達され、伝達係数φｓでＲ端子に伝達される。ノイズ信号ｎは、伝達係数１でＧ端子に伝達され、伝達係数φｎでＲ端子に伝達される。
【００３１】
図７に示す信号観測モデルでは、以下の式（１）により脈動信号ｐとノイズ信号ｎとを混合すると、Ｇ端子で観測されるＧ信号とＲ端子で観測されるＲ信号とが得られる。つまり、脈動信号ｐとノイズ信号ｎを分離するためには以下の式（２）で示す逆行列演算を行えばよい。この式（２）における逆行列が分離マトリクスである。
【００３２】
【数１】
2013150707.tif 000003
【００３３】
式（２）に示す分離マトリクスを用いて、脈動信号ｐとノイズ信号ｎとを分離するには、φｓとφｎの推定が必要である。このφｓは、体動の影響を殆ど受けていない安定期間におけるＧ信号に対するＲ信号のベクトルのノルム比である。また、φｎは、体動による影響を受けているノイズ期間におけるＧ信号に対するＲ信号のベクトルのノルム比である。
【００３４】
分離部４２は、以下の式（３）により安定期間のノルム比を算出する。式（３）において、‖ＲACpulse‖2は、安定期間におけるＲ信号のＡＣ成分のノルムであり、‖ＧACpulse‖2は、安定期間におけるＧ信号のＡＣ成分のノルムであり、‖ＲDCpulse‖2は、安定期間におけるＲ信号のＤＣ成分のノルムであり、‖ＧDCpulse‖2は、安定期間におけるＧ信号のＤＣ成分のノルムである。また、分離部４２は、以下の式（４）によりノイズ期間のノルム比を算出する。式（４）において、‖ＲACnoise‖2は、ノイズ期間におけるＲ信号のＡＣ成分のノルムであり、‖ＧACnoise‖2は、ノイズ期間におけるＧ信号のＡＣ成分のノルムであり、‖ＲDCnoise‖2は、ノイズ期間におけるＲ信号のＤＣ成分のノルムであり、‖ＧDCnoise‖2は、ノイズ期間におけるＧ信号のＤＣ成分のノルムである。
【００３５】
【数２】
2013150707.tif 000004
【００３６】
分離部４２は、式（３）によって求められたノルム比をφｓ、式（４）によって求められたノルム比をφｎとして式（２）の分離マトリクスに代入し、ノイズ期間で測定されたＧ信号、Ｒ信号のＡＣ成分の値を式（２）のＧ、Ｒに代入して演算することにより、ノイズ期間における脈動成分とノイズ成分とを分離する。
【００３７】
上述したように、赤色光Ｌｒは緑色光Ｌｇよりも生体内の深い部位に照射されるため、Ｒ信号には、Ｇ信号と相関のない信号成分が重畳されてしまう。しかし、上述した実施形態では、除去部４１においてＲ信号からＧ信号との相関の低い信号成分が除去されるため、赤色光Ｌｒと緑色光Ｌｇが生体内の深さの異なる部位に照射されることによって生じる誤差を減らすことができる。また、Ｒ信号とＧ信号との相関が高くなると、Ｇ信号とＲ信号との間の相関が低い場合に比べて、分離部４２においてＧ信号及びＲ信号から脈動成分とノイズ成分とを分離する精度を向上させることができる。
【００３８】
本発明は上述した実施形態に限定されず、以下のように変形してもよい。また、以下の変形例を相互に組み合わせてもよい。
【００３９】
（１）変形例１
上述した実施形態では、第１の発光部１９ａから照射される光の波長と第２の発光部１９ｂから照射される光の波長とが異なることにより、これらの光が生体内の深さの異なる部位に照射されていた。しかし、第１の発光部１９ａから照射される光の波長と第２の発光部１９ｂから照射される光の波長とが同じであっても、第１の発光部１９ａと第１の受光部２０ａとの間の距離と、第２の発光部１９ｂと第２の受光部２０ｂとの間の距離とが異なる場合には、これらの光が生体内の深さの異なる部位に照射されることになる。
【００４０】
この変形例では、脈波測定装置１は、一波長の光を用いて脈波の測定を行う。この場合、第１の発光部１９ａと第２の発光部１９ｂとは、同じ波長の光を照射する。例えば、第１の発光部１９ａと第２の発光部１９ｂとはいずれも緑色光を照射する。また、第１の発光部１９ａ、第２の発光部１９ｂ、第１の受光部２０ａ及び第２の受光部２０ｂは、第２の発光部１９ｂと第２の受光部２０ｂとの間の距離Ｄ４が、第１の発光部１９ａと第１の受光部２０ａとの間の距離Ｄ３よりも大きくなるように配置される。
【００４１】
図８は、この変形例に係る生体内における緑色光の経路を示す図である。上述したように、第２の発光部１９ｂと第２の受光部２０ｂとの間の距離Ｄ４は、第１の発光部１９ａと第１の受光部２０ａとの間の距離Ｄ３よりも大きい。この場合、第２の発光部１９ｂから照射される第２の緑色光Ｌｇ２（第２の光の一例）は、生体内の深い部分の散乱光の割合が大きくなるため、生体内の平均浸透度が大きくなる。つまり、第２の発光部１９ｂから照射される第２の緑色光Ｌｇ２は、第１の発光部１９ａから照射される第１の緑色光Ｌｇ１（第１の光の一例）よりも、生体内の深い部分を通過することになる。具体的には、第１の緑色光Ｌｇ１は、図８（ａ）に示すように、表皮３１及び真皮３２の浅い部分を通って測定部位Ｔ３（第１の部位の一例）に照射される。一方、第２の緑色光Ｌｇ２は、図８（ｂ）に示すように、表皮３１及び真皮３２の深い部分を通って、測定部位Ｔ３よりも深い測定部位Ｔ４（第２の部位の一例）に照射される。
【００４２】
このような構成であっても、上述した実施形態と同様の処理を行うことにより、第１の緑色光Ｌｇ１と第２の緑色光Ｌｇ２が生体内の深さの異なる部位に照射されることによって生じる誤差を減らすことができる。
【００４３】
（２）変形例２
分離部４２で行われる信号分離の方法は実施形態で説明した方法に限定されない。例えば、特開２００９−２６１４５８号公報に記載された方法を適用して、２つの信号から脈動成分とノイズ成分とを分離してもよい。
【００４４】
（３）変形例３
上述した適応フィルターでは、係数可変フィルターとしてＦＩＲフィルター５３が用いられていた。しかし、適応フィルターにおいて用いられる係数可変フィルターは、ＦＩＲフィルター５３に限定されない。例えば、ＦＩＲフィルター５３に代えて、ＩＩＲ（Infinite impulse response）フィルターが用いられてもよい。
【００４５】
（４）変形例４
上述した実施形態では、除去部４１がデジタルフィルターにより実現されていた。しかし、除去部４１は、アナログフィルターにより実現されてもよい。この場合、除去部４１は、アナログフィルターを用いて、入力されたＲ信号からＧ信号と相関のない第２の信号成分を除去する。
【００４６】
（５）変形例５
第１の発光部１９ａ、第２の発光部１９ｂが照射する光は、緑色光、赤色光に限定されない。例えば、青色光、赤外光等、他の波長の光であってもよい。
【００４７】
（６）変形例６
上移した実施形態では、緑色光を受光する第１の受光部２０ａと、赤色光を受光する第２の受光部２０ｂとが別々に設けられていた。しかし、第１の受光部２０ａ及び第２の受光部２０ｂに代えて、２分割フォトダイオードが用いられてもよい。
【００４８】
（７）変形例７
装置本体３と脈波センサー４とは、無線通信で接続されていてもよい。また、装置本体３と脈波センサー４とが一体に構成されてもよい。また、脈波センサー４が装着される部位は、指に限定されない。例えば、手の甲、手首、上腕、足の甲、耳朶等、生体の他の部位であってもよい。
【００４９】
（８）変形例８
ＣＰＵ１１において実行されるプログラムは、磁気テープ、磁気ディスク、フレキシブルディスク、光ディスク、光磁気ディスク、メモリーなどの記録媒体に記録した状態で提供され、脈波測定装置１にインストールされてもよい。また、このプログラムは、インターネット等の通信回線を介して脈波測定装置１にダウンロードされてもよい。
【符号の説明】
【００５０】
１…脈波測定装置、１１…ＣＰＵ、１２…ＲＯＭ、１３…ＲＡＭ、１４…表示部、１５…操作部、１６…発振回路、１７…計時回路、１８…駆動回路、１９ａ…第１の発光部、１９ｂ…第２の発光部、２０ａ…第１の受光部、２０ｂ…第２の受光部、２１ａ…第１のフィルター部、２１ｂ…第２のフィルター部、２２ａ…第１の増幅回路、２２ｂ…第２の増幅回路、２３ａ…第１のＡ／Ｄ変換部、２３ｂ…第２のＡ／Ｄ変換部、４１…除去部、４２…分離部
【図２】
2013150707.tif 000005
【図３】
2013150707.tif 000006
【図４】
2013150707.tif 000007
【図５】
2013150707.tif 000008
【図６】
2013150707.tif 000009
【図７】
2013150707.tif 000010
【図８】
2013150707.tif 000011
【図１】
2013150707.tif 000012